(57)【要約】      （修正有）【課題】強い衝撃を受けても振動素子が洗浄槽の底面から離脱せず、かつ振動騒音の小さいシンク凹部に挿脱自在に装着される超音波洗浄装置を提供する。【解決方法】洗浄槽１１底面に穿孔された締結ボルト１５をボルト孔に挿通し、この締結ボルト１５と振動素子２０上面中央部内部に固着されたナット２３とを締結する構造で、締結ボルト１５に、パッキング３０、洗浄槽１１、多孔性シート２１、ワッシャ２５を挿通し、振動子２０上面中央部内部に固着されたナット２３に１次固定するとともに、振動素子２０の上面外周に沿って多孔性シート２１と振動素子２０を洗浄槽１１の底面に接着する接着層５０とで２次固定するシンク凹部に挿脱自在に装着された超音波洗浄装置。【選択図】図２
2006263467.tif 000002
【特許請求の範囲】
【請求項１】
シンク凹部に挿脱自在に装着されて使用される超音波洗浄装置であって、
洗浄槽１１の底面の所定位置に１つ、あるいは所定間隔を置いて２つ以上穿孔されたボルト孔１９と、
前記洗浄槽１１の底面裏側に開いた前記ボルト孔１９の開口部周辺領域に配設された多孔性シート２１と、
上面が前記多孔性シート２１に接触し、上面中央部内部にナット２３が固着され、かつ前記ナット２３の上にワッシャー２５が配設された振動素子２０と、
前記洗浄槽１１の底面内側から、気密パッキング３０、ボルト孔１９、多孔性シート２１及びワッシャー２５を挿通して前記振動素子２０に固着されたナット２３と締結して、前記振動素子２０を洗浄槽１１の底面に１次固定する締結ボルト１５と、
前記振動素子２０の上部外周に沿って粘着され、前記多孔性シート２１と振動素子２０を前記洗浄槽１１の底面に接着して２次固定する接着層５０と、
前記洗浄槽１１の上部の一側辺の周縁部表面に設けた超音波洗浄機の制御部１７とで構成されてなることを特徴とするシンク凹部に挿脱自在に装着されて使用される超音波洗浄装置。
【請求項２】
シンク凹部に挿脱自在に装着されて使用される超音波洗浄装置１０が、その洗浄槽１１の外側面下部領域の外周に、前記振動素子２０によって発生する騒音を吸収し減少させる騒音吸収部材６０を備えてなることを特徴とする請求項１に記載のシンク凹部に挿脱自在に装着されて使用される超音波洗浄装置。
【請求項３】
請求項１又は２に記載のシンク凹部に挿脱自在に装着されて使用される超音波洗浄装置を着脱自在に嵌装してなることを特徴とするシンク。
【請求項４】
超音波洗浄装置の振動素子の取付構造において、
洗浄槽１１の底面の所定位置に１つ、あるいは所定間隔を置いて２つ以上穿孔されたボルト孔１９の、前記洗浄槽１１の底面裏側に開いた開口部周辺領域に多孔性シート２１を配設し、上面中央部内部にナット２３が固着され、かつ前記ナット２３の上にワッシャー２５が配設された振動素子２０の上面を前記多孔性シート２１に接触させ、かつ前記洗浄槽１１の底面内側から、締結ボルト１５を気密パッキング３０、ボルト孔１９、多孔性シート２１及びワッシャー２５を挿通させて前記振動素子２０のナット２３に締結させて前記振動素子２０を洗浄槽１１の底面に１次固定し、さらに前記振動素子２０の上部外周に沿って粘着した接着層５０によって、前記多孔性シート２１と振動素子２０とを前記洗浄槽１１の底面に２次固定したことを特徴とする超音波洗浄装置の振動子取付構造。
【発明の詳細な説明】
【技術分野】
【０００１】
シンク凹部に挿脱自在に装着されて使用される超音波洗浄装置に関し、詳しくは超音波洗浄装置に加わる強い衝撃によって振動素子が洗浄槽底面から離脱するおそれがなく振動素子の振動に伴う騒音の小さな超音波洗浄装置、及び振動素子が洗浄槽底面から離脱するおそれのない超音波洗浄装置の振動素子取付構造に関する。
【背景技術】
【０００２】
超音波を発生する振動素子を洗浄槽に取り付けて、そこから放出される衝撃波によって洗浄槽内の液中に浸漬された食器や果物などの被洗浄物の表面に付着した異物や汚れを内部の見えない細かな隙間まで短時間で洗浄する超音波洗浄装置が、近年広く普及し、使用されている。そしてこれら超音波洗浄装置における洗浄槽への超音波振動素子の取付構造についても多くの提案がなされているが、その大部分は、洗浄槽の底面にボルトを固着し、そこに振動素子を締結するか、又は接着剤を用いて振動素子を洗浄槽の底面に接着するかした構造が採用されている。
しかし、前記のような振動素子の取付構造では、超音波洗浄装置に強い衝撃が加わると、その衝撃によって洗浄槽の底面に取り付けられていた振動素子が洗浄槽底面から離脱する事態が頻繁に生じるという問題があった。
また、従来の超音波洗浄装置には、洗浄槽の底面に取り付けられた振動素子の振動が洗浄槽にそのまま伝わって騒音が発生するという問題もあった。
【発明の開示】
【発明が解決しようとする課題】
【０００３】
本発明の課題は、上記背景技術に鑑み、強い衝撃が加わっても振動素子が洗浄槽の底面から離脱するおそれのない超音波洗浄装置の振動子取付構造と、
同構造を使用して振動素子が洗浄槽底面から離脱するおそれをなくし、かつ振動素子の振動に伴う騒音を低減でき、かつシンク凹部に挿脱自在に装着されて使用可能な超音波洗浄装置を提供することにある。
【課題を解決するための手段】
【０００４】
本発明者は、上記課題を下記の手段で解決した。
（１）シンク凹部に挿脱自在に装着されて使用される超音波洗浄装置であって、
洗浄槽１１の底面の所定位置に１つ、あるいは所定間隔を置いて２つ以上穿孔されたボルト孔１９と、
前記洗浄槽１１の底面裏側に開いた前記ボルト孔１９の開口部周辺領域に配設された多孔性シート２１と、
上面が前記多孔性シート２１に接触し、上面中央部内部にナット２３が固着され、かつ前記ナット２３の上にワッシャー２５が配設された振動素子２０と、
前記洗浄槽１１の底面内側から、気密パッキング３０、ボルト孔１９、多孔性シート２１及びワッシャー２５を挿通して前記振動素子２０に固着されたナット２３と締結して、前記振動素子２０を洗浄槽１１の底面に１次固定する締結ボルト１５と、
前記振動素子２０の上部外周に沿って粘着され、前記多孔性シート２１と振動素子２０を前記洗浄槽１１の底面に接着して２次固定する接着層５０と、
前記洗浄槽１１の外側面下部領域の外周に取り付けられ、前記振動素子２０によって発生する騒音を吸収し減少させる騒音吸収部材６０と、
前記洗浄槽１１の上部の一側辺の周縁部表面に設けた超音波洗浄機の制御部１７とで構成されてなることを特徴とするシンク凹部に挿脱自在に装着されて使用される超音波洗浄装置。
（２）シンク凹部に挿脱自在に装着されて使用される超音波洗浄装置において、
その洗浄槽１１の外側面下部領域の外周に、振動素子２０によって発生する騒音を吸収し減少させる騒音吸収部材６０を備えてなることを特徴とする前項（１）に記載のシンク凹部に挿脱自在に装着されて使用される超音波洗浄装置。
（３）前項（１）又は（２）に記載のシンク凹部に挿脱自在に装着されて使用される超音波洗浄装置を着脱自在に設けてなることを特徴とするシンク。
【０００５】
（４）超音波洗浄装置の振動素子の取付構造において、
洗浄槽１１の底面の所定位置に１つ、あるいは所定間隔を置いて２つ以上穿孔されたボルト孔１９の、前記洗浄槽１１の底面裏側に開いた開口部周辺領域に多孔性シート２１を配設し、上面中央部内部にナット２３が固着され、かつ前記ナット２３の上にワッシャー２５が配設された振動素子２０の上面を前記多孔性シート２１に接触させ、かつ前記洗浄槽１１の底面内側から、締結ボルト１５を気密パッキング３０、ボルト孔１９、多孔性シート２１及びワッシャー２５を挿通させて前記振動素子２０のナット２３に締結させて前記振動素子２０を洗浄槽１１の底面に１次固定し、さらに前記振動素子２０の上部外周に沿って粘着した接着層５０によって、前記多孔性シート２１と振動素子２０とを前記洗浄槽１１の底面に２次固定したことを特徴とする超音波洗浄装置の振動子取付構造。
【発明の効果】
【０００６】
本発明のシンク凹部に挿脱自在に装着されて使用される超音波洗浄装置及び超音波洗浄装置の振動素子取付構造によって下記の効果が発揮される。
（ア）請求項１の発明によれば、
振動素子が、洗浄槽の底面に穿孔されたボルト孔に挿通された締結ボルトと該振動素子の上面中央部内部に固着されたナットとの締結で１次固定されるとともに、前記振動素子と多孔性シートを前記シンクの底面裏側に前記振動素子外周上部に粘着された接着層で接着して２次固定されるので、超音波洗浄装置に強い衝撃が加わっても、前記振動素子が洗浄槽の底面から離脱しないシンク凹部に挿脱自在に装着されて使用される超音波洗浄装置が実現できる。
（イ）請求項２の発明によれば、
洗浄槽の外側面下部領域の外周に取り付けられた騒音吸収部材が、前記振動素子によって発生する騒音を吸収して減少させるので、騒音の小さいシンク凹部に挿脱自在に装着されて使用される超音波洗浄装置が実現できる。
（ウ）請求項３の発明によれば、
既設シンクに超音波洗浄装置を必要に応じて着脱できるので、超音波洗浄装置を使用する際にのみ前記超音波洗浄装置をシンクボールに嵌装して水回りの利便さを活用でき、不使用時には取り外してシンクボールを本来の広さで使用することができる。
（エ）請求項４の発明によれば、
超音波洗浄装置の振動素子取付構造が、洗浄槽の底面に穿孔されたボルト孔に挿通された締結ボルトと該振動素子の上面中央部内部に固着されたナットとの締結で１次固定し、さらに前記振動素子と多孔性シートとを前記シンクの底面裏側に前記振動素子外周上部に粘着された接着層で接着して２次固定されるものであるので、振動素子が洗浄槽の底面に強固に取り付けられ、超音波洗浄装置に強い衝撃が加わっても振動素子が洗浄槽の底面から離脱することのないシンク凹部に挿脱自在に装着されて使用される超音波洗浄装置が実現できる。
【発明を実施するための最良の形態】
【０００７】
本発明のシンク凹部に挿脱自在に装着されて使用される超音波洗浄装置及び同超音波洗浄装置の振動素子取付構造の実施の形態を、実施例の図に基づいて説明する。
図１は本発明によるシンク凹部に挿脱自在に装着されて使用される超音波洗浄装置の外観斜視図、図２は本発明による振動素子の洗浄槽への取付構造を示す断面図、図３は図２に示す取付構造の分解斜視図、図４は本発明によるシンク凹部に挿脱自在に装着されて使用される超音波洗浄装置の騒音低減方法を説明するための断面図、図５は既設シンクに嵌装された超音波洗浄装置の外観斜視図である。
図において１０は超音波洗浄装置、１１は洗浄槽、１３は排水孔、１５は締結ボルト、１７は制御部、１９はボルト孔、２０は振動素子、２１は多孔質シート、２３はナット、２５はワッシャー、３０は気密パッキング、４０は既設シンク、４１はシンク凹部、５０は接着層、６０は騒音吸収部材である。
【０００８】
本発明のシンク凹部に挿脱自在に装着されて使用される超音波洗浄装置１０は、図１の外観斜視図に見られるように、内側に向かって所定の深さに陥没した形状の洗浄槽１１を持ち、該洗浄槽１１の底面に、排水孔１３と、前記排水孔１３の周辺に所定間隔を置いて複数（図１では３個）のボルト孔１９（図３参照）が穿孔され、該ボルト孔１９には締結ボルト１５が挿通されている。そしてこの締結ボルト１５は、図２及び図３に示すように、気密パッキング３０、ボルト孔１９、多孔性シート２１及びワッシャー２５を介して、洗浄槽１１の底面裏側に配設された振動素子２０のナット２３に締結されている。
また、洗浄槽１１の上部のいずれか１つの側の周縁部には、超音波洗浄装置１０を制御する制御部１７が配置されている。
さらに、本発明による超音波洗浄装置は、図４に示すように、洗浄槽１１の外側面の下部に、振動素子２０によって発生する騒音を吸収減少させる騒音吸収部材６０が取り付けられ、これにより振動素子２０によって発生し得る洗浄槽１１の騒音を減少させ、騒音の小さい超音波洗浄装置を実現している。
そして図５に示すようにキッチンキャビネット等に備えられたシンク４０の凹部４１に嵌装して使用される形状となっている。
【０００９】
本発明によるシンク凹部に挿脱自在に装着されて使用される超音波洗浄装置１０の洗浄槽１１の底面への振動素子取付構造は、図２の断面図、図３の分解斜視図に見られるように、洗浄槽１１の底面の所定位置に穿孔されたボルト孔１９のそれぞれの、前記洗浄槽１１の底面裏側に開いた開口部周辺領域に、布からなる多孔性シート２１が配設し、
上面中央内部にはナット２３が固着され、そのナット２３の上にワッシャー２５が配置された振動素子２０の上面を前記多孔性シート２１に接触させ、
洗浄槽１１の内側から、締結ボルト１５を気密パッキング３０、ボルト孔１９、多孔性シート２１、及びワッシャー２５に挿通させて前記振動素子２０のナット２３に締結し、振動素子２０を洗浄槽１１の底面に１次固定し、さらに、振動素子２０の外周上部に粘着した接着層５０によって、前記多孔性シート２１と振動素子２０を洗浄槽１１の底面裏側に接着する２次固定を行わせて達成される。
これによって、前記振動素子２０が、超音波洗浄装置１０に加わる衝撃によって洗浄槽１１の底面から離脱するおそれがなくなる。
【００１０】
本発明による超音波洗浄装置１０は、洗浄槽１１の底面に少なくとも１つ以上振動素子２０が、上述した取付構造によって振動素子２０が取り付けられ、かつ洗浄槽１１の外側面に騒音吸収部材が取り付けられているので、振動素子２０のを洗浄槽１１へ堅固に取り付けられ振動素子２０の離脱のおそれがなく、しかも騒音の小さいものとなっている。
【図面の簡単な説明】
【００１１】
【図１】本発明のシンク凹部に挿脱自在に装着されて使用される超音波洗浄装置の外観を示す斜視図
【図２】本発明による洗浄槽への振動素子の取付構造を示す断面図
【図３】図２の取付構造の分解斜視図
【図４】本発明による超音波洗浄装置の騒音低減方法を説明するための断面図
【図５】既設シンクに嵌装された超音波洗浄装置の外観斜視図
【符号の説明】
【００１２】
１０：超音波洗浄装置
１１：洗浄槽
１３：排水孔
１５：締結ボルト
１７：制御部
１９：ボルト孔
２０：振動素子
２１：多孔性シート
２３：ナット
２５：ワッシャー
３０：気密パッキング
４０：既設シンク
４１：シンク凹部
５０：接着層
６０：騒音吸収部材
【図１】
2006263467.tif 000003
【図２】
2006263467.tif 000004
【図３】
2006263467.tif 000005
【図４】
2006263467.tif 000006
【図５】
2006263467.tif 000007